(57)【要約】【課題】脱気器からボイラへ供給される給水流量を低下させていく過程で、再循環弁開度を適切に制御することにより、制御上の振動を抑制する。【解決手段】再循環流量の設定値を次第に上昇させ、再循環流量の設定値の上昇率を、給水ポンプの停止指令発生前よりも停止指令発生後に大きくなるように変化させ、その上昇率に上限を設ける。給水ポンプの回転数７ａの関数として給水ポンプの吸込み流量設定値９ａを求める吸込み流量設定値関数発生手段９と、吸込み流量設定値と給水ポンプの吸込み流量６ａとの偏差を演算する偏差演算手段１０と、を有し、再循環弁の開度設定を行なう開度指令信号８ａとして、給水ポンプの停止指令発生後には、再循環弁の全開に向けて、再循環流量の設定値の上昇率が所定の上限値以下になるように設定する開度指令信号２５ａが採用される。【選択図】　図１
2004044944.tif 000002
【特許請求の範囲】
【請求項１】
脱気器からボイラへ供給される給水を駆動する給水ポンプを通った水の一部を、前記ボイラを通さずに前記脱気器へ戻す再循環配管の再循環流量を、前記再循環配管に配置された再循環弁の開度を調整することによって制御する給水ポンプ再循環流量制御装置において、
前記ボイラへの給水流量の設定値を低下させていく過程で、前記再循環流量の設定値を次第に上昇させ、かつ、前記再循環流量の設定値の上昇率を、前記給水ポンプの停止指令発生前よりも当該停止指令発生後に大きくなるように変化させ、しかもその上昇率に上限を設けたこと、を特徴とする給水ポンプ再循環流量制御装置。
【請求項２】
請求項１に記載の給水ポンプ再循環流量制御装置において、
前記給水ポンプの回転数の関数として前記給水ポンプの吸込み流量設定値を求める吸込み流量設定値関数発生手段と、前記吸込み流量設定値と前記給水ポンプの吸込み流量との偏差を演算する偏差演算手段と、を有し、
前記再循環弁の開度設定を行なう開度指令信号として、前記給水ポンプの停止指令発生前には、前記偏差に基く通常開閉設定値によるものと前記偏差に基く急開設定値によるものとのうちの大きい方が採用され、前記給水ポンプの停止指令発生後には、前記再循環弁の全開に向けて、前記再循環流量の設定値の上昇率が所定の上限値以下になるように設定する開度指令信号が採用されるように構成されていること、
を特徴とする給水ポンプ再循環流量制御装置。
【請求項３】
請求項１に記載の給水ポンプ再循環流量制御装置において、
前記給水ポンプの回転数の関数として前記給水ポンプの吸込み流量設定値を求める吸込み流量設定値関数発生手段と、
前記吸込み流量設定値と前記給水ポンプの吸込み流量との偏差を演算する偏差演算手段と、
を有し、
前記給水ポンプの停止指令発生前には、前記再循環弁の開度設定を行なう開度指令信号として、前記偏差に基く通常開閉設定値によるものと、前記偏差に基く急開設定値によるものと、のうちの大きい方が採用され、
前記給水ポンプの停止指令発生後には、前記再循環弁の開度設定を行なう開度指令信号として、前記偏差に基く通常開閉設定値によるものと、前記偏差に基く急開設定値によるものと、前記再循環弁の全開に向けて前記再循環流量の設定値の上昇率が所定の上限値以下になるように設定された設定値によるものの三者のうちで最大のものが採用されるように構成されていること、
を特徴とする給水ポンプ再循環流量制御装置。
【請求項４】
脱気器からボイラへ供給される給水を駆動する給水ポンプを通った水の一部を、前記ボイラを通さずに前記脱気器へ戻す再循環配管の再循環流量を、前記再循環配管に配置された再循環弁の開度を調整することによって制御する給水ポンプ再循環流量制御方法において、
前記ボイラへの給水流量の設定値を低下させていく過程で、前記再循環流量の設定値を次第に上昇させ、かつ、前記再循環流量の設定値の上昇率を、前記給水ポンプの停止指令発生前よりも当該停止指令発生後に大きくなるように変化させ、しかもその上昇率に上限が設けられていること、を特徴とする給水ポンプ再循環流量制御方法。
【発明の詳細な説明】
【０００１】
【発明の属する技術分野】
本発明は、発電プラントなどの給水ポンプの再循環流量制御装置およびその制御方法に関する。
【０００２】
【従来の技術】
発電プラントなどにおける給水ポンプは、発電量の増加に伴ってボイラの要求する給水流量をボイラに送給するために、給水ポンプの回転数を増加させる構成となっている。
【０００３】
一方、給水ポンプは、ポンプの過熱を防止するための最小吸込み流量以上の吸込み流量を流すことが必要である。この最小吸込み流量は、給水ポンプ回転数に応じて変わる値である。仮に、吸込み流量が最小吸込み流量以下になった場合には、警報を出力したり、給水ポンプを強制停止させなければならない。そこで、ボイラへの給水流量が減少し、吸込み流量が減少した場合には、再循環弁の開度を調節して脱気器へ戻す再循環流量を増加することにより、給水ポンプの吸込み流量を最小吸込み流量以上としている（例えば、特開平６−１５９６０８号公報参照）。
【０００４】
図５に、この種の給水ポンプの系統を示す。図において、給水ポンプ１は、図示省略する脱気器からボイラへの給水配管２に配置されており、給水配管２の出口には脱気器へ再循環する再循環配管３が分岐している。再循環配管３には、再循環弁４が配置されている。また、給水配管２には、流量エレメント５が配置され、この流量エレメント５に結合された発信器６から吸込み流量信号６ａが出力され、給水ポンプ１には、回転数検出器７が設置され、回転数検出器７から回転数信号７ａを出力する。
【０００５】
上述の発信器６と回転数検出器７は、給水ポンプ再循環流量制御装置８の入力側に接続される一方、出力側の再循環弁開度指令信号８ａが、再循環弁４に接続されている。これによって、給水ポンプ再循環流量制御装置は８は、流量エレメント５に結合された発信器６により得られる吸込み流量信号６ａと回転数検出器７により得られる回転数信号７ａとに基き、再循環弁開度指令８ａを算出して再循環弁４へ出力する。
【０００６】
図６に、給水ポンプ再循環流量制御装置８の構成を示す。吸込み流量設定値発生関数発生器９は、回転数信号７ａに応じて吸込み流量設定信号９ａを出力する。この吸込み設定値９ａと吸込み流量信号６ａは偏差演算器１０に入力され、ここで吸込み流量偏差１０ａが演算され、吸込み流量偏差１０ａは通常開閉設定値関数発生器１１と急開設定値関数発生器１５に入力される。通常開閉設定値関数発生器１１は、吸込み流量偏差１０ａに応じて再循環弁開度設定１１ａを出力する。この再循環弁開度設定１１ａは、偏差演算器１２と制限器１３と積分器１４により変化率制限演算して通常開閉レート演算値１４ａが高値選択器１９へ入力される。
【０００７】
急開設定値関数発生器１５は、吸込み流量偏差１０ａに応じて再循環弁開度設定１５ａを出力する。この再循環弁開度設定１５ａは、偏差演算器１６と制限器１７と積分器１８により変化率制限演算して急開レート演算値１８ａが高値選択器１９へ入力される。
【０００８】
高値選択器１９は、入力された通常開閉レート演算値１４ａと急開レート演算値１８ａの二つの信号のうちいずれか高い側の値を選択して演算結果１９ａを信号切替器２１へ入力する。信号切替器２１は、給水ポンプ停止指令信号Ｔの条件が成立していない場合は、演算結果１９ａを再循環弁開度指令信号８ａへ出力し、給水ポンプ停止指令信号Ｔの条件が成立した場合は、信号設定器２０より入力する値（全開設定値）に切り替わり、再循環弁開度指令信号８ａへ出力する。
【０００９】
ここで、吸込み流量設定信号９ａと回転数信号７ａとの関係について図７を参照して説明すると、吸込み流量信号９ａは、予め回転数信号７ａに応じて設定され、回転数信号７ａがＮ１〜Ｎ２の範囲で回転数７ａに応じて増加する。また、回転数信号７ａがＮ２以上の時に一定値を保持し、回転数信号７ａがＮ１以下でも一定値を保持するようになっている。図７のＱｓ（図示点線）は、再循環弁４を全開にする吸込み流量設定値を示し、給水ポンプ１の最小吸込み流量は、Ｑｓの少し下側にあり、給水ポンプ１の吸込み流量を制御する上での目標値としての吸込み流量設定信号９ａは、Ｑｓよりαだけ上側のＱｔに設定されている。
【００１０】
通常開閉設定値関数発生器１１は、図８に示すように、吸込み流量信号６ａの変化α（ΔＱ２〜ΔＱ１）に対して、再循環弁開度指令１９ａを全閉から全開に変化させるようにしている。一方、急開設定値関数発生器１５は、図９に示すように、吸込み流量６ａの変化がＱｓ以下となった場合にα（ΔＱ１）に対して、再循環弁開度指令１９ａを全閉から全開に急開させるようにしている。
【００１１】
すなわち、吸込み流量信号６ａが吸込み流量設定信号Ｑｓと一致したときは、通常開閉設定値関数発生器１１の出力１１ａは、１００％［＝（−Ｖ／（ΔＱ２−ΔＱ１））×（Ｑｔ−Ｑｓ）］で再循環弁開度指令１９ａは、全開とする。吸込み流量信号６ａが吸込み流量信号Ｑｔと一致した時には、通常開閉設定値関数発生器１１の出力１１ａは、０％［＝（−Ｖ／（ΔＱ２−ΔＱ１））×（Ｑｔ−Ｑｓ）］で再循環弁開度指令１９ａは、全閉とする。
【００１２】
吸込み流量信号６ａが吸込み流量設定信号Ｑｓ以下のときは、急開設定値関数発生器１５の出力１５ａは、１００％［＝（−Ｖ／ΔＱ１）×（Ｑｔ−Ｑｓ）］で再循環弁開度指令１９ａは、全開とする。吸込み流量信号６ａが吸込み流量信号Ｑｔと一致した時には、急開設定値関数発生器１１の出力１１ａは、０％［＝（−Ｖ／（ΔＱ１））×（Ｑｔ−Ｑｓ）］で再循環弁開度指令１９ａは、全閉とする。
【００１３】
偏差演算器１２は、再循環弁開度設定１１ａと積分器１４の出力との偏差を演算する。また、偏差演算器１６は、再循環弁開度設定１５ａと積分器１８の出力との偏差を演算する。
【００１４】
制限器１３および制限器１７は、入力信号に制限をかけて出力するもので、図１０に示す特性となっている。すなわち、制限器１３および制限器１７の入力の特性が正の時は、正方向で所定の制限信号を出力し、極性が負の時は、負方向で所定の制限信号を出力する特性となっており、正極性のときは大きな値を、負極性のときは小さな値に制限するようになっている。積分器１４は、制限器１３の出力信号を入力信号とし、この入力信号を積分演算して出力する。また、積分器１８は、制限器１７の出力信号を入力信号とし、この入力信号を積分演算して出力する。
【００１５】
上記、偏差演算器１２、制限器１３、積分器１４で構成される回路は、変化率制限機能を有し、積分器１４の出力１４ａは再循環弁開度設定１１ａの信号に変化率制限された信号となる。また、偏差演算器１６、制限器１７、積分器１８で構成される回路は変化率制限機能を有し、積分器１８の出力１８ａは再循環弁開度設定１５ａの信号に変化率制限された信号となる。
【００１６】
これら積分器１４の出力信号１４ａと積分器１８の出力信号１８ａは、高値選択器１９へ入力され、いずれか高い側の値すなわち開側を選択し、再循環弁開度指令値１９ａを出力する。このとき再循環弁４の開方向の動作（制限器１３、１７の入力の極性が正の場合に相当）に対しては、再循環弁４を高速で開き、閉方向の動作（制限器１３、１７の入力の特性が負の場合に相当）に対しては、再循環弁４を低速で閉じる。
【００１７】
また、給水ポンプ停止時は、信号切替器２１により、信号設定器２０の全開値へ切り替わる。これによって、再循環弁４の高速開動作が給水ポンプ１の過熱防止を図り、再循環弁４の低速閉動作がボイラの給水流量制御への外乱を極力小さくする。
【００１８】
【発明が解決しようとする課題】
上述の従来の給水ポンプ再循環制御装置８では、次のような課題がある。
図１１を参照して給水ポンプの停止過程においてボイラへ送給する給水流量を徐々に減少させていく場合について説明する。図１１（ａ）のＬはボイラの負荷指令信号で、図１１（ｂ）の６ａは吸込み流量信号、Ｑｆはボイラへの給水流量信号、９ａは吸込み流量設定信号で、８ａは再循環弁開度指令信号を示している。
【００１９】
図１１において、ボイラの負荷指令信号Ｌが徐々に減少していくと、給水ポンプ１の回転数を時刻ｔ１から減少させていき、ボイラへの給水流量信号Ｑｆが徐々に減少する。このとき、吸込み流量設定信号９ａと吸込み流量信号６ａとの偏差は、α以上あるため、再循環弁開度指令信号８ａを通常開閉設定関数発生器１１の出力に従い、徐々に全閉から開方向へ移行させる。このため再循環弁４へ給水は流れ、吸込み流量６ａは、給水流量Ｑｆとともに給水ポンプ１の最小流量＋αを確保しながら徐々に減少する。
【００２０】
その後、時刻ｔ２に、図１１（ｄ）に示す給水ポンプ停止指令Ｔ条件成立があり、それによって、信号切替器２１が動作し、信号設定器２０の全開設定値に切替えを行ない、図１１（ｃ）に示すように、再循環弁開度指令信号８ａは瞬時に全開値となる。このため再循環弁４は、全開へ急開するため、再循環弁４に流れる流量は、一時急増する。しかも、ボイラ系統よりも再循環系統の方が給水流量の吸込み力が大きいため、再循環系統へ流量が急増し、これに対応してボイラへの給水流量Ｑｆは、時刻ｔ２から急減して時刻ｔ３まで流量変動を繰り返す。
【００２１】
このような給水流量信号Ｑｆの変動により、ボイラ給水流量制御上の振動が発生するという課題がある。そこで、本発明は、ボイラ給水流量を低下させていく過程で、制御上の振動を極力少なくする給水ポンプ再循環流量制御装置を提供することを目的とする。
【００２２】
【課題を解決するための手段】
本発明は上記目的を達成するものであって、請求項１に記載の発明は、脱気器からボイラへ供給される給水を駆動する給水ポンプを通った水の一部を、前記ボイラを通さずに前記脱気器へ戻す再循環配管の再循環流量を、前記再循環配管に配置された再循環弁の開度を調整することによって制御する給水ポンプ再循環流量制御装置において、前記ボイラへの給水流量の設定値を低下させていく過程で、前記再循環流量の設定値を次第に上昇させ、かつ、前記再循環流量の設定値の上昇率を、前記給水ポンプの停止指令発生前よりも当該停止指令発生後に大きくなるように変化させ、しかもその上昇率に上限を設けたこと、を特徴とする。
【００２３】
また、請求項２に記載の発明は、請求項１に記載の給水ポンプ再循環流量制御装置において、前記給水ポンプの回転数の関数として前記給水ポンプの吸込み流量設定値を求める吸込み流量設定値関数発生手段と、前記吸込み流量設定値と前記給水ポンプの吸込み流量との偏差を演算する偏差演算手段と、を有し、前記再循環弁の開度設定を行なう開度指令信号として、前記給水ポンプの停止指令発生前には、前記偏差に基く通常開閉設定値によるものと前記偏差に基く急開設定値によるものとのうちの大きい方が採用され、前記給水ポンプの停止指令発生後には、前記再循環弁の全開に向けて、前記再循環流量の設定値の上昇率が所定の上限値以下になるように設定する開度指令信号が採用されるように構成されていること、を特徴とする。
【００２４】
また、請求項３に記載の発明は、請求項１に記載の給水ポンプ再循環流量制御装置において、前記給水ポンプの回転数の関数として前記給水ポンプの吸込み流量設定値を求める吸込み流量設定値関数発生手段と、前記吸込み流量設定値と前記給水ポンプの吸込み流量との偏差を演算する偏差演算手段と、を有し、前記給水ポンプの停止指令発生前には、前記再循環弁の開度設定を行なう開度指令信号として、前記偏差に基く通常開閉設定値によるものと、前記偏差に基く急開設定値によるものと、のうちの大きい方が採用され、前記給水ポンプの停止指令発生後には、前記再循環弁の開度設定を行なう開度指令信号として、前記偏差に基く通常開閉設定値によるものと、前記偏差に基く急開設定値によるものと、前記再循環弁の全開に向けて前記再循環流量の設定値の上昇率が所定の上限値以下になるように設定された設定値によるものの三者のうちで最大のものが採用されるように構成されていること、を特徴とする。
【００２５】
また、請求項４に記載の発明は、脱気器からボイラへ供給される給水を駆動する給水ポンプを通った水の一部を、前記ボイラを通さずに前記脱気器へ戻す再循環配管の再循環流量を、前記再循環配管に配置された再循環弁の開度を調整することによって制御する給水ポンプ再循環流量制御方法において、前記ボイラへの給水流量の設定値を低下させていく過程で、前記再循環流量の設定値を次第に上昇させ、かつ、前記再循環流量の設定値の上昇率を、前記給水ポンプの停止指令発生前よりも当該停止指令発生後に大きくなるように変化させ、しかもその上昇率に上限が設けられていること、を特徴とする。
本発明によれば、給水ポンプの低負荷時の負荷降下停止過程で、再循環弁が急開することによるボイラ給水制御への外乱を抑制または防止することができる。
【００２６】
【発明の実施の形態】
以下、本発明に係る給水ポンプ再循環流量制御装置の複数の実施の形態について図面を参照して説明する。ここで、従来と、または各実施の形態同士で、相互に同一もしくは類似の部分（もしくは信号等）には共通の符号を付して重複する説明は省略する。
【００２７】
［第１の実施の形態］（請求項１、２、４に関連）
図１は、本発明に係る給水ポンプ再循環流量制御装置の第１の実施の形態の制御ブロック図である。図中、従来技術である図６と異なる点は、信号切替器２２、偏差演算器２３、制限器２４、積分器２５などからなる破線で囲んだ部分を追加している点である。
【００２８】
信号設定器２０には、給水ポンプ停止時に再循環弁を所定開度に開けさせる値（全開値）とする値が設定してあり、信号切替器２２へ入力される。信号切替器２２は、給水ポンプ停止指令Ｔ条件成立時、信号切替器２１の再循環弁開度指令出力信号８ａから信号設定器２０にて設定した再循環弁所定開度（全開値）へ切替えを行ない偏差演算器２３へ入力する。偏差演算器２３は、信号切替器２２の出力信号２２ａと積分器２５の出力信号２５ａとの偏差を演算して演算出力値２３ａを制限器２４へ入力する。制限器２４は、入力に制限をかけて出力するもので、図１０に示す特性と同様で制限設定値が異なっている。積分器２５は、制限器２４の出力を入力とし、入力を積分演算して出力する。
【００２９】
偏差演算器２３、制限器２４、積分器２５で構成される回路は変化率制限機能を有し、積分器２５の出力２５ａが信号切替器２２の出力信号２２ａに変化率制限された信号となる。この変化率制限は、信号制限器２４の設定値によって、再循環弁の開方向の動作速度は、給水ポンプの停止時、給水ポンプ回転数の降下に伴い給水ポンプの最小吸込み流量確保を要する時間で開するように動作し、閉方向は再循環弁開度指令出力信号８ａと常に等しい値となるように動作する。
【００３０】
次に本実施の形態の作用を、給水ポンプの停止過程においてボイラへ送給する給水流量を徐々に減少させていく場合について図２を参照して説明する。ここで、図２の（ａ）〜（ｄ）はそれぞれ、図１１の（ａ）〜（ｄ）に対応する。
【００３１】
時刻ｔ１〜ｔ２の動作は図１１と同様であり、この間の信号２５ａは信号１９ａと等しい値の動作をする。
時刻ｔ２に給水ポンプ停止指令Ｔ条件成立により、信号切替器２１と信号切替器２２が動作する。信号切替器２１は、吸込み流量設定信号により決定される再循環弁開度指令信号１９ａから給水ポンプ停止時の所定開度設定信号（全開値）により決定される再循環弁開度指令信号２５ａへ出力を切り替える。信号切替器２２は、信号設定器２０の全開設定値に切替えを行ない、再循環弁開度指令信号８ａは、所定開度（全開値）まで徐々に増加していく。これに対応して再循環弁４の流量も徐々に給水ポンプ回転数降下に伴い給水ポンプの最小吸込み流量を確保し減少する。
【００３２】
したがって、給水ポンプ停止時、吸込み流量信号６ａの下降に対して再循環弁開度指令信号８ａの増加を適度に定めると、吸込み流量信号６ａの変動がなく、再循環弁４の急開に伴う給水流量Ｑｆの変動がない。このように給水ポンプの吸込み流量減少による過熱防止を図るとともに、給水ポンプの低負荷時の負荷降下停止過程において再循環弁が急開することによるボイラへ送給する給水流量の急減を防止し、ボイラ制御上の外乱を極力少なくすることが可能となる。
【００３３】
［第２の実施の形態］（請求項１、３、４に関連）
図３は、本発明に係る給水ポンプ再循環流量制御装置の第２の実施の形態の制御ブロック図である。第１の実施の形態（図１）と異なる点は、信号切替器２１を削除し、積分器２５の出力２５ａを高値選択器１９へ入力させる破線で囲んだ部分を変更している点である。
【００３４】
高値選択器１９の入力信号は、積分器１４の出力１４ａと積分器１８の出力１８ａと積分器２５の出力２５ａの三つとなり、これら三入力のうちいずれか高い値を出力する。積分器２５の出力２５ａは、再循環弁の開方向の動作速度を給水ポンプの停止時、給水ポンプ回転数の降下に伴い給水ポンプの最小吸込み流量確保を要する時間で全開させるように動作するため、この時の高値選択器１９の入力信号は、３入力のうち積分器出力２５ａが最も高値となり出力される。
【００３５】
この実施の形態によれば、第１の実施の形態と同様に、給水ポンプの吸込み流量減少による過熱防止を図るとともに、給水ポンプの低負荷時の負荷降下停止過程において再循環弁が急開することによるボイラへ送給する給水流量の急減を防止し、ボイラ制御上の外乱を極力少なくすることが可能となる。
【００３６】
［第３の実施の形態］（請求項１、３、４に関連）
図４は、本発明に係る給水ポンプ再循環流量制御装置の第３の実施の形態の制御ブロック図である。第２の実施の形態（図３）と異なる点は、信号切替器２１を高値選択器２６に置き換えた箇所である。
【００３７】
高値選択器２６の入力信号は、高値選択器１９の出力信号１９ａと積分器出力２５ａの二入力のうちいずれか高い値を出力する。積分器２５の出力２５ａは、再循環弁の開方向の動作速度を給水ポンプの停止時、給水ポンプ回転数の降下に伴い給水ポンプの最小吸込み流量確保を要する時間で全開させるように動作するため、この時の高値選択器１９の入力信号は、三入力のうち積分器出力２５ａが最も高値となり出力される。
【００３８】
この実施の形態によれば、第１、第２の実施の形態と同様に、給水ポンプの吸込み流量減少による過熱防止を図るとともに、給水ポンプの低負荷時の負荷降下停止過程において再循環弁が急開することによるボイラへ送給する給水流量の急減を防止し、ボイラ制御上の外乱を極力少なくすることが可能となる。
【００３９】
【発明の効果】
以上説明したように本説明によれば、給水ポンプの低負荷時の負荷降下停止過程で、再循環弁が急開することによるボイラ給水制御への外乱を抑制または防止することができる。
【図面の簡単な説明】
【図１】本発明に係る給水ポンプ再循環流量制御装置の第１の実施の形態の制御ブロック図。
【図２】図１の給水ポンプ再循環流量制御装置の動作を説明するタイムチャートであって、（ａ）は回転数信号および負荷指令信号、（ｂ）は、吸込み流量設定信号、再循環弁開度指令信号、吸込み流量信号および給水流量信号、（ｃ）は再循環弁開度指令信号、（ｄ）は給水ポンプ停止指令信号、をそれぞれ示す。
【図３】本発明に係る給水ポンプ再循環流量制御装置の第２の実施の形態の制御ブロック図。
【図４】本発明に係る給水ポンプ再循環流量制御装置の第３の実施の形態の制御ブロック図。
【図５】一般的な給水ポンプ再循環系統の系統図。
【図６】従来の給水ポンプ再循環流量制御装置の制御ブロック図。
【図７】吸込み流量設定値関数発生器の特性図。
【図８】通常開閉設定値関数発生器の特性図。
【図９】急開設定値関数発生器の特性図。
【図１０】制限器の特性図。
【図１１】図６の給水ポンプ再循環流量制御装置の動作を説明するタイムチャートであって、（ａ）は回転数信号および負荷指令信号、（ｂ）は、吸込み流量設定信号、再循環弁開度指令信号、吸込み流量信号および給水流量信号、（ｃ）は再循環弁開度指令信号、（ｄ）は給水ポンプ停止指令信号、をそれぞれ示す。
【符号の説明】
１…給水ポンプ、４…再循環弁、５…流量エレメント、６…発信器、７…回転数検出器、８…給水ポンプ再循環流量制御装置、９…吸込み流量設定値関数発生器、１０，１２，１６、２３…偏差演算器、１１…通常開閉設定値関数発生器、１３，１７，２４…制限器、１４，１８，２５…積分器、１５…急開設定値関数発生器、１９…高値選択器、２０…信号設定器、２１，２２…信号切替器
【図１】
2004044944.tif 000003
【図２】
2004044944.tif 000004
【図３】
2004044944.tif 000005
【図４】
2004044944.tif 000006
【図５】
2004044944.tif 000007
【図６】
2004044944.tif 000008
【図７】
2004044944.tif 000009
【図８】
2004044944.tif 000010
【図９】
2004044944.tif 000011
【図１０】
2004044944.tif 000012
【図１１】
2004044944.tif 000013